(57)【特許請求の範囲】
【請求項１】
被検試料中に含まれるべロトキシン産生性大腸菌、べロトキシンおよびヒトヘモグロビンから選ばれる少なくとも二種の被検物質とそれぞれ結合しうる複数の第１免疫体群を、それぞれ吸水性基材上の異なる位置に固定化した固定相に、被検試料および着色粒子に前記被検物質と結合しうる第２免疫体を結合した標識免疫体を含有する液とを接触させ、被検物質と標識免疫体との複合体を該固定相にて第１免疫体に結合させる免疫学的検査法。
【請求項２】
固定相を設けた吸水性基材の一端から被検試料および前記標識免疫体を含有する液の混合物を吸収させ、被検試料中の被検物質と標識免疫体との複合体を該固定相にて第１免疫体に結合させる請求項１記載の免疫学的検査法。
【請求項３】
固定相を設けた吸水性基材の一端から被検試料を吸収させ、被検試料中の被検物質を前記固定相に存在する第一免疫体に結合させた後、第２免疫体を結合した標識免疫体を含有する液を該吸収性基材に吸収させることにより、固定相に結合している被検物質と標識免疫体とを結合させる請求項１記載の免疫学的検査法。
【請求項４】
固定相を設けた吸水性基材の一端から標識免疫体を含有する液を吸収させ、前記固定相までの途上で吸収させた被検試料中の被検物質と標識免疫体との複合体を形成させたのち、前記固定相に存在する第１免疫体に結合させる請求項１記載の免疫学的検査法。
【請求項５】
少なくとも、吸水性基材上に被検物質と結合しうる第１免疫体を固定化した固定相と、着色粒子に前記被検物質と結合しうる第２免疫体を結合した標識免疫体を含有する液とを構成要素とし、該固定相が被検試料中に含まれるべロトキシン産生性大腸菌、べロトキシンおよびヒトヘモグロビンから選ばれる少なくとも二種の被検物質とそれぞれ結合しうる複数の第１免疫体群を吸水性基材上の異なる位置に固定化してなる事を特徴とする免疫学的検査用キット。
【発明の詳細な説明】
【０００１】
【発明の属する技術分野】
本発明は簡単、迅速に且つ高精度に被検試料中に含まれるべロトキシン産生性大腸菌、べロトキシンおよびヒトヘモグロビンから選ばれる少なくとも二種の検出を同一基材上で同時に行うことができる免疫学的検査法および免疫学的検査用キットに関するものである。
【０００２】
【従来の技術】
近年問題となっているべロトキシン産生性大腸菌としてのＯ１５７は、主に感染源となる食品から体内に入り、４〜９日間程度の潜伏期間を経たのちに発症する。また、血便は感染初期から呈することもあり、そののち、場合によってはＯ１５７が産生するべロトキシンの作用によって溶血性貧血や腎不全や血小板減少などの症状を引き起こし、溶血性尿毒症症候群（ＨＵＳ）に至ることもある。
【０００３】
このようなべロトキシン産生性大腸菌を食品中や患者から検出する操作は非常に煩雑であり、結果が出るまでには多くの日数を要するものであるが、最近は免疫測定法を用いることによって比較的簡便に検出することができるようになっている。
【０００４】
具体的な検出方法としては、食品をｍＴＳＢ（Ｔｒｉｐｔｉｃａｓｅ  Ｓｏｙ  Ｂｒｏｔｈ  Ｍｏｄｉｆｉｅｄ）  培地などを用いて培養したのち、ＥＬＩＳＡ法（ｅｎｚｙｍｅ−ｌｉｎｋｅｄ  ｉｍｍｕｎｏｓｏｒｂｅｎｔ  ａｓｓａｙ法）  を用いてＯ１５７抗原を検出する方法（商品名：ＥＨＥＣ−ＴＥＣ  ＥＬＩＳＡ  ＴＥＳＴ  ＳＹＳＴＥＭ，オルガノンテクニカ社製）がある。また、食品から分離した大腸菌のべロトキシン産生検査としては、ＣＡ−ＹＥ培地で培養したのち、その上澄みを検体として用いてラテックス凝集法によってべロトキシン１型およびべロトキシン２型を検出する方法（商品名：べロトックス−Ｆ「生研」，デンカ生研社製）がある。
【０００５】
また、Ｏ１５７を患者の検体中から検出する方法としては、ラテックス凝集法（商品名：大腸菌Ｏ１５７検出キット「ＵＮＩ」、ユニパス社製）を用いる方法がある。
【０００６】
しかしながら、上記各検出方法は何れもＯ１５７やべロトキシンをそれぞれ単一項目として検出する方法であって、同時検出できるものではなく、また、測定するまでに増菌培養が必要になるなど時間や手間がかかるものである。
【０００７】
一方、近年になり迅速かつ簡便に免疫学的検査が行える方法として、免疫クロマトグラフ法が注目されている。この方法では、例えば以下のようなステップを経る。吸水性基材上に被検液と結合しうる免疫体を固定化した固定相と、該被検物質と結合しうる標識免疫体を水との接触によって前記基材から脱離しうるように含有させた標識相とを、特定の間隔をおいて設けてなる試薬の前記標識相側の一端から被検試料を吸収させる。そして、標識相の標識免疫体を脱離させ、被検物質と結合させて標識免疫体−被検物質複合体を形成させ、次いで、この複合体が前記固定相にて固定化免疫体と結合する。固定相にて結合した標識免疫体を測定することにより、被検液中の被検物質を測定することができる。
【０００８】
標識免疫体に用いる標識材としては、コロイド状金属粒子、酵素、蛍光物質、燐光物質、色素、または酵素、蛍光物質、燐光物質、色素などを結合もしくは含有させた水分散型高分子重合体粒子などが用いられる。特に、蛍燐光物質、色素（染料や顔料など）で着色した水分散型高分子重合体粒子に免疫体を物理吸着により結合した標識免疫体や金コロイド粒子に免疫体を結合した標識免疫体は、測定感度が高く、簡便なことから広く用いられている。
【０００９】
【発明が解決しようとする課題】
本発明では、近年問題視されているＯ１５７に代表されるべロトキシン産生性大腸菌やべロトキシン、さらには腸管出血に伴うヒトヘモグロビンの検出に免疫クロマトグラフ法を適用し、さらにこれらを簡便、迅速かつ高精度で同時検出することが可能な免疫学的検査法を提供することを目的とする。
【００１０】
【課題を解決するための手段】
本発明者らは、従来からの免疫クロマトグラフ法において、被検試料中のべロトキシン産生性大腸菌、べロトキシン及びヒトヘモグロビンから選ばれる少なくとも二種の被検物質を結合することができる複数の第１免疫体群を吸水性基材上に固定してなる固定相と、被検試料中の上記被検物質と結合することができる第２免疫体を着色粒子に結合してなる標識免疫体を含有する液を用い、そして、固定相を吸水性基材上の異なる位置に固定化することによって、被検試料中の複数の被検物質を同時に検出するという上記目的が達成できることを見出し、本発明を完成するに至った。
即ち、本発明は以下の通りである。
【００１１】
（１）被検試料中に含まれるべロトキシン産生性大腸菌、べロトキシンおよびヒトヘモグロビンから選ばれる少なくとも二種の被検物質とそれぞれ結合しうる複数の第１免疫体群を、それぞれ吸水性基材上の異なる位置に固定化した固定相に、被検試料および着色粒子に前記被検物質と結合しうる第２免疫体を結合した標識免疫体を含有する液とを接触させ、被検物質と標識免疫体との複合体を該固定相にて第１免疫体に結合させる免疫学的検査法。
（２）固定相を設けた吸水性基材の一端から被検試料および前記標識免疫体を含有する液の混合物を吸収させ、被検試料中の被検物質と標識免疫体との複合体を該固定相にて第１免疫体に結合させる上記（１）記載の免疫学的検査法。
（３）固定相を設けた吸水性基材の一端から被検試料を吸収させ、被検試料中の被検物質を前記固定相に存在する第一免疫体に結合させた後、第２免疫体を結合した標識免疫体を含有する液を該吸水性基材に吸収させることにより、固定相に結合している被検物質と標識免疫体とを結合させる上記（１）記載の免疫学的検査法。
（４）固定相を設けた吸水性基材の一端から標識免疫体を含有する液を吸収させ、前記固定相までの途上で吸収させた被検試料中の被検物質と標識免疫体との複合体を形成させたのち、前記固定相に存在する第１免疫体に結合させる上記（１）記載の免疫学的検査法。
（５）少なくとも、吸水性基材上に被検物質と結合しうる第１免疫体を固定化した固定相と、着色粒子に前記被検物質と結合しうる第２免疫体を結合した標識免疫体を含有する液とを構成要素とし、該固定相が被検試料中に含まれるべロトキシン産生性大腸菌、べロトキシンおよびヒトヘモグロビンから選ばれる少なくとも二種の被検物質とそれぞれ結合しうる複数の第１免疫体群を吸水性基材上の異なる位置に固定化してなる事を特徴とする免疫学的検査用キット。
【００１２】
【発明の実施の形態】
本発明において、第１免疫体および第２免疫体は被検物質としてのべロトキシン産生性大腸菌（以下、ＶＴＥＣという）、べロトキシン（以下、ＶＴという）またはヒトヘモグロビン（以下、Ｈｂという）と特異的に結合しうる抗体であって、第１免疫体および第２免疫体が特異的に結合する被検物質は共通のものである。各被検物質の同時測定が可能な本発明においては上記被検物質の内、少なくとも二種の被検物質とそれぞれ特異的に結合しうる複数の第１免疫体および第２免疫体が用いられる。免疫体は測定すべき被検物質に応じて、サンドイッチ法などで用いられる公知のものを適宜選択すればよい。また、固定相に固定化する第１免疫体と標識免疫体として用いる第２免疫体は、用いる抗体の種類、測定対象によっても異なるが、同一の抗体を用いることも可能であり、又、異なる抗原決定基を認識する二種の抗体を用いることもできる。免疫体としてモノクローナル抗体やポリクローナル抗体を使用することができる。一方の免疫体がモノクローナル抗体である場合には、もう一方の免疫体は当該モノクローナル抗体とは異なる抗原決定基を認識するものが好ましい。
【００１３】
また、本発明において検出するＶＴＥＣとしては、多くの血清型のものを検出することができ、具体的にはＯ１５７、Ｏ２６、Ｏ１１１、Ｏ１８、Ｏ１１４、Ｏ１１５、Ｏ１２８、Ｏ１４５などの血清型のＶＴＥＣを検出する。さらに、鞭毛の蛋白部分のＨ抗原まで具体的に示すと、Ｏ１５７：Ｈ７、Ｏ１５７：Ｈ−、Ｏ２６：Ｈ１１、Ｏ２６：Ｈ−、Ｏ１１１：Ｈ−、Ｏ１８：Ｈ−、Ｏ１１４：Ｈ−、Ｏ１１５：Ｈ１９、Ｏ１２８：Ｈ２、Ｏ１４５：Ｈ−などが挙げられる。これらのうち、本発明にて効果的に用いることができるＶＴＥＣの血清型としては、Ｏ１５７、Ｏ２６、Ｏ１１１が挙げられ、具体的にはＯ１５７：Ｈ７、Ｏ１５７：Ｈ−、Ｏ２６：Ｈ１１、Ｏ２６：Ｈ−、Ｏ１１１：Ｈ−などが挙げられる。
【００１４】
また、ＶＴもヒトの場合には主に物理化学的性状および免疫学的性状を異にするＶＴ−１とＶＴ−２の２種類があり、本発明ではこれらの２種類のベロトキシンを同時に検出することができる。
【００１５】
本発明において用いる吸水性基材は、被検物質を含有する被検試料、例えば、食品から抽出した溶液や培養液の上澄み、便懸濁（溶解）溶液などを吸収できるもの、あるいはこれらを緩衝液によって希釈してなる希釈液を吸収するもの、標識免疫体を含有する液を吸収するものであれば特に限定されない。本発明においては、被検試料中の被検物質が標識免疫体や固定相の第１免疫体と充分な反応を行うための時間を確保できるような吸水性基材が用いられる。吸水性基材が吸水性に劣る場合には、後述するように被検試料が固定相に到達するのに長時間を要し、その結果、迅速な測定を行うことができない。
【００１６】
一方、吸水性基材の吸水性があまりに高すぎる場合には、被検試料中の被検物質が標識免疫体や固定相の第１免疫体と充分な反応を行うために必要な時間が不足するので、正確な測定を行うことが困難となる。好ましい具体例としては、例えば不織布、濾紙、ガラス繊維布、ガラスフィルター、ニトロセルロースフィルター、多孔質材料などが挙げられる。これらの基材は適度な吸水速度を有すると共に、着色粒子が結合して発色した際の目視確認性に優れるものである。
【００１７】
以上の点を考慮すると、本発明における吸水性基材の吸水性の程度は、５ｍｍ幅の短冊状に裁断した吸水性基材の片端部を水に浸潰し、１分間経過後の吸水距離が０．５〜５ｃｍ程度のものが好ましい。
【００１８】
また、これらの基材の吸水性を調整するために、基材の表面に親水性重合体や界面活性剤を被覆し、あるいは含浸させることもできる。さらに、本発明においては吸水性基材として同一材料からなる基材を用いてもよいし、あるいは異種の材料からなるものを任意の接着手段によって接合して得た連続した基材を用いることもできる。
【００１９】
本発明において、吸水性基材の形状は、被検試料を展開できる形状であれば特に限定されるものではなく、例えば、矩形のシ一ト状（片状）やロッド状などが好ましい。
【００２０】
本発明において、固定相とは被検物質と結合しうる第１免疫体が吸水性基材上に固定化された領域を意味する。第１免疫体を吸水性基材上に固定化する方法（固定相の作製方法）も、特に限定されるものではないが、従来から知られている物理吸着法や共有結合法によるのが好適であり、特に、免疫体が基材から脱離しにくい共有結合法によるのが好ましい。吸水性基材が上記共有結合法のための官能基を有しないときは、例えば適宜の官能基を有する重合体を用い基材を作製し、吸水性基材の吸水性を阻害しない程度に付着させる。また、第１免疫体および親水性重合体を含む溶液を吸水性基材に塗布したのち、上記親水性重合体を凝固させる凝固溶剤に浸債することで固定相を作製することもできる。上記親水性重合体としては、ヒドロキシプロピルメチルセルロース、ポリビニルアルコール、ヒドロキシエチルセルロースなどが用いられる。上記凝固溶剤としてはアセトン、エタノール、メタノール、エーテルなどを用いることができる。
【００２１】
固定化する第１免疫体の量は用いる免疫体の種類や特性によっても異なるが、通常、ＶＴＥＣに対する抗体であれば０．００１〜０．５ｍｇ／ｃｍ２  、ＶＴに対する抗体であれば０．０１〜１ｍｇ／ｃｍ２  、Ｈｂに対する抗体であれば０．０１〜１ｍｇ／ｃｍ２  の量で塗布される。
【００２２】
本発明における固定相は上記のようにして吸水性基材上に複数の第１免疫体を固定化したものであるが、後述の様に、被検試料の吸液によって移動してきた第２免疫体固定化着色粒子を固定相で捕捉して各被検物質毎に発色させるためには、各第１免疫体は少なくとも１ｍｍ以上、各発色が混じり合わないようにするためには、好ましくは５ｍｍ以上の間隔を設けて吸水性基材上に固定化することが望ましい。
【００２３】
また、本発明においては上記固定相と、被検試料および／または標識免疫体を含有する液の吸液が開始される部位（以下、吸液部という）との間の距離は、１〜６ｃｍ、好ましくは３〜４ｃｍ程度とする。距離があまりに遠すぎると、固定相まで被検試料が到達しなかったり、発色感度が強すぎたり、測定に時間がかかったりするという問題点を生じる恐れがあり好ましくない。一方、距離が近すぎると固定相での発色が均一でなく、まばらになったり、発色感度が低すぎるという問題が生じる恐れがある。
【００２４】
吸液部としては、被検試料や標識免疫体を含有する液の吸水性基材への移動を妨げるものでなければ、特に限定されず、基材と兼用したものであっても、あらたに不織布や織布等を該吸収性基材に接着させたものであってもよい。
本発明において、第１免疫体が固定化された固定相及び吸液部を有する吸水性基材を本発明の免疫学的検査片ともいう。
【００２５】
本発明における標識免疫体としては、着色粒子に被検物質と結合することができる第２免疫体を結合したものを用いる。ここで用いる着色粒子としては、肉眼で着色が検出可能なものであれば制限はなく、例えば金、銀、銅などの金属からなるコロイド粒子、スダンブルーやスダンレッドＩＶ、スダンＩＩＩ、オイルオレンジ、キニザリングリーンなどに代表される顔料や染料などでラテックスを着色した着色ラテックスなどを用いることができる。目視確認性の点からは、金コロイドや青色や赤色、緑色、オレンジ色に着色した着色ラテックスを用いることが好ましく、さらに好ましくは青色や赤色などで着色した水分散型高分子重合体粒子からなる着色ラテックスを用いることが分散安定性や被検物質の検出感度の調整し易さなどの点から望ましい。
【００２６】
上記着色粒子の粒径としては保存安定性や調製しやすさの点から、０．０１〜３μｍ、好ましくは０．０５〜０．５μｍの範囲とする。粒径があまりに小さすぎると、１粒子当りの着色の程度が少ないので、固定相に結合しても発色の程度が悪く、目視確認性に劣るようになる。また、粒径が大きすぎると、着色粒子が僅かに凝集しただけで吸水性基材に目詰まりを起こして吸水性を低下させたり、非特異発色を起こしたりすることがある。
【００２７】
このような着色粒子に第２免疫体を結合する方法としては、従来からよく知られている方法、例えば共有結合法や物理吸着法、イオン結合法などを用いることができるが、結合後の免疫体の脱離がなく安定である点から共有結合法を採用することが好ましい。本発明においては被検試料中の複数の被検物質を検出するために、対応する複数の免疫体をそれぞれ別の着色粒子に結合させるが、この際に用いる着色粒子は同一色であっても異なった色であってもよい。
【００２８】
標識免疫体を分散させる緩衝液は、抗原抗体反応を阻害しないｐＨ及び塩濃度の緩衝液を適宜使用する。検出時の標識免疫体濃度は０．００５〜５％、好ましくは０．０１〜０．５％の範囲とする。濃度があまりにも低すぎると、固定相に結合する粒子数が少なく、発色が悪くなる。また、濃度が高すぎると、不経済なばかりでなく、過剰の着色粒子が固定相以外に残留し、固定相の発色を不明瞭にする等の問題が発生する。（以下、標識免疫体を含有する液を標識免疫体液ともいう。）
【００２９】
本発明の免疫学的検査法を用いて免疫学的検査を行うには、以下の方法が挙げられる。第１の方法では、まず検査すべき被検試料と標識免疫体液とを混合させる。この時被検試料中に含まれる複数の被検物質（ＶＴＥＣ、ＶＴ、Ｈｂ）は各標識免疫体と結合し、標識免疫体と被検物質の複合体〔標識免疫体（着色粒子−第２免疫体）−被検物質〕をそれぞれ形成する。次いで、固定相を設けた吸水性基材の一端から前記被検試料と標識免疫体液の混合物を吸収させる。混合物中で形成された複合体は液の移動と伴に吸水性基材中を移動し、固定相に到達する。固定相では移動してきた複合体が固定相に固定された第１免疫体と更に結合し、新たに〔標識免疫体（着色粒子−第２免疫体）−被検物質−第１免疫体〕からなる標識免疫複合体を形成して、固定相上に固定化結合される。
【００３０】
第２の方法では、被検試料のみを固定相を設けた吸水性基材の一端から吸収させ、被検試料中の各被検物質を固定相上の第１免疫体に結合させる（被検物質−第１免疫体）。この方法では、被検試料は液状のものであるか、固体状のものであれば適当な緩衝液等で溶解、懸濁等の処理を行い、吸水性基材に吸収されるようにしておく。次いで、標識免疫体液を吸収させる事により、各標識免疫体は、固定相に結合している被検物質と複合体を形成して、新たに〔標識免疫体（着色粒子−第２免疫体）−被検物質−第１免疫体〕からなる標識免疫複合体を形成して、固定相上に固定化結合される。
【００３１】
さらに、第３の方法では、固定相を設けた吸水性基材の一端から標識免疫体液を吸収させる。固定相までの途上に吸収させもしくは塗布した、液状もしくは固体状の被検物中の、複数の各被検物質と各標識免疫体との複合体が形成する。形成した複合体は液の移動と伴に吸水性基材中を移動し、固定相に到達する。固定相では移動してきた複合体が固定相に固定された第１免疫体と更に結合し、新たに〔標識免疫体（着色粒子−第２免疫体）−被検物質−第１免疫体〕からなる標識免疫複合体を形成して、固定相上に固定化結合される。このように固定相に固定化されることによって、標識免疫体を構成する着色粒子は一箇所に集合、結合し、明らかな発色となり被検物質の存在を目視確認できるのである。本発明では固定相には複数の被検物質に対応する第１免疫体をそれぞれ異なった位置に固定しているので、一度に被検物質としてのＶＴＥＣ、ＶＴ、Ｈｂのうちの少なくとも二種以上の存在を確認することができるのである。
【００３２】
従って、本発明は、食品中に存在するＶＴＥＣおよびＶＴの検出や、糞便中に存在するＶＴＥＣおよび／またはＶＴ、と共に存在するＨｂを同時に検出することができるものである。
【００３３】
本発明の免疫学的検査法は、本発明の免疫学的検査用キットによって好適に遂行され得る。当該キットを構成する吸水性基材上に被検物質と結合しうる第１免疫体を固定化した固定相および着色粒子に前記被検物質と結合しうる第２免疫体を結合した標識免疫体を含有する液は前述と同じものが用いられる。
例えば、本発明の検査用キットを用いて検査する場合、用いる吸水性基材の種類や大きさ、用いる免疫体の特性によっても異なるが、通常、液量にして１〜５００μｌ、被検物質の量にしてＶＴＥＣであれば１０２  〜１０９  ｃｆｕ、ＶＴであれば０．０１〜１０万ｎｇ、Ｈｂであれば０．５〜５０万ｎｇの被検試料を好適に測定することが可能である。
【００３４】
【実施例】
以下に本発明の実施例を挙げ、さらに具体的に説明するが、本発明はこれらの実施例に何ら限定されるものではない。
実施例１：被検物質の検出（１）
１）標識免疫体液の作製
青色着色カルボキシル化ポリスチレンラテックス粒子分散液（固形分濃度５重量％、平均粒子径０．１μｍ、０．０１Ｍ−ほう酸緩衝液ｐＨ８）３ｍｌに、水溶性カルボジイミド（１ｍｇ／ｍｌ、０．０１Ｍ−ほう酸緩衝液ｐＨ８）１ｍｌ、および抗Ｅ．ｃｏｌｉＯ１５７：Ｈ７抗体（ヤギＩｇＧ（Ｋｉｒｋｅｇａａｒｄ  ＆  Ｐｅｒｒｙ  Ｌａｂｏｒａｔｏｒｉｅｓ  Ｉｎｃ．社製）、１ｍｇ／ｍｌ、０．０１Ｍ−ほう酸緩衝液ｐＨ８）１ｍｌを加えて１０℃で３時間反応させたのち、洗浄液としてほう酸緩衝液（ｐＨ８）を用いて遠心分離洗浄を行い、青色着色ラテックス粒子標識抗Ｅ．ｃｏｌｉＯ１５７：Ｈ７抗体を作製した（固形分濃度２重量％）。
【００３５】
同様にして、抗べロトキシン１抗体（マウスＩｇＧ、１ｍｇ／ｍｌ）および抗べロトキシン２抗体（マウスＩｇＧ、１ｍｇ／ｍｌ）を、別々の緑色着色カルボキシル化ポリスチレンラテックス粒子分散液（平均粒子径０．１μｍ）に結合した。
【００３６】
さらに、同様にして、抗ヒトヘモグロビン抗体（ウサギＩｇＧ（株式会社日本バイオテスト製）、５ｍｇ／ｍｌ）を、赤色着色カルボキシル化ポリスチレンラテックス粒子分散液（平均粒子径０．１μｍ）に結合した。
【００３７】
次いで、各ラテックス粒子標識抗体を０．０１Ｍ−ほう酸緩衝液（ｐＨ８．０）に、固形分濃度２重量％となるように懸濁した。
【００３８】
２）固定相の作製
ニトロセルロースメンブレン（孔径８μｍ、６ｍｍ×６０ｍｍ）（図中１に相当する）の一端から３０ｍｍの箇所（図中２−４）に抗Ｅ．ｃｏｌｉＯ１５７：Ｈ７抗体（ヤギＩｇＧ、１ｍｇ／ｍｌ、０．１Ｍリン酸緩衝液ｐＨ７．４）、２５ｍｍの箇所（図中２−３）に抗べロトキシン１抗体（ウサギＩｇＧ、２ｍｇ／ｍｌ）、２０ｍｍの箇所（図中２−２）に抗べロトキシン２抗体（ウサギＩｇＧ、２ｍｇ／ｍｌ）、１５ｍｍの箇所（図中２−１）に抗ヒトヘモグロビン抗体（ウサギＩｇＧ、１ｍｇ／ｍｌ）をそれぞれ１．５μｌずつ、ディスペンサーを用いてライン状に塗布した。
このメンブレンをウシ血清アルブミン（１重量％）およびポリオキシエチレン（１０）オクチルフェニルエーテル（和光純薬工業社製、０．１重量％）からなる水溶液中に１０分間浸潰させたのち、４０℃で２時間乾燥させた。
次いで、このメンブレンの裏側（抗体塗布面の反対側）にポリエステルフィルム（９０μｍ厚）（図中４に相当する）をスプレー糊を用いて貼り合わせた。
抗体塗布箇所の反対端から０〜８ｍｍの箇所にポリエステル不織布（６ｍｍ×８ｍｍ、厚さ２．５ｍｍ）（図中３に相当する）を貼り合わせて、本発明の免疫学的検査片を作製した。
【００３９】
３）測定
０．１Ｍリン酸緩衝液（０．９重量％ＮａＣｌ含有、ｐＨ７．４）に、Ｅ．ｃｏｌｉＯ１５７：Ｈ７、ベロトキシン１型、べロトキシン２型、ヒトヘモグロビンを表１〜表２に示した濃度で分散させた検体（被検試料）を調製した。
【００４０】
この被検試料に上記１）で作製した標識免疫体液を固形分濃度０．０２重量％となるように混合、攪拌した後、混合液６０μｌを上記２）で作製した検査片のポリエステル不織布部に滴下し、２０分後の固相部（固定相）の発色の有無を目視観察した。
表１〜２に各被検物質を混合または単独で被検試料に用いた場合の測定結果を示す。ここで、Ｅ．ｃｏｌｉＯ１５７：Ｈ７は、被検物質の混合時の測定結果に影響が出ないように、ベロトキシン非産生のものを用いた。なお、各表における判定基準は以下の通りである。
【００４１】
＋：固定相にライン状の発色が見られる。
−：固定相にライン状の発色が見られない。
【００４２】
【表１】
0003609240.tif 000002
【００４３】
【表２】
0003609240.tif 000003
【００４４】
実施例２：被検物質の検出（２）
実施例１と同様に、表３〜４に示した濃度で調製した被検試料６０μｌを、実施例１の２）で作製した検査片のポリエステル不織布部に滴下し、固定相まで展開させた。次いで、０．１Ｍリン酸緩衝液（０．９重量％ＮａＣｌ含有、ｐＨ７．４）に、固形分濃度を０．０２重量％となるように希釈した標識免疫体液６０μｌを、前記検査片のポリエステル不織布部に滴下し、２０分後の固定相の発色の有無を目視観察した。
表３〜４に各被検物質を混合または単独で被検試料に用いた場合の測定結果を示す。
【００４５】
【表３】
0003609240.tif 000004
【００４６】
【表４】
0003609240.tif 000005
【００４７】
実施例３：被検物質の検出（３）
実施例１と同様に、表５〜６に示した濃度で調製した被検試料２μｌを、実施例１の２）で作製した免疫学的検査片の表面側に、抗体塗布箇所の反対端から１２〜２０ｍｍの部分に吸収させた。次いで、０．１Ｍリン酸緩衝液（０．９重量％ＮａＣｌ含有、ｐＨ７．４）に、固形分濃度を０．０２重量％となるように希釈した標識免疫体液６０μｌを、前記検査片のポリエステル不織布部に滴下し、２０分後の固定相の発色の有無を目視観察した。
表５〜６に各被検物質を混合または単独で被検試料に用いた場合の測定結果を示す。
【００４８】
【表５】
0003609240.tif 000006
【００４９】
【表６】
0003609240.tif 000007
【００５０】
【発明の効果】
本発明の免疫学的検査法および免疫学的検査用キットは、上記実施例の結果からも明らかなように、ＶＴＥＣであるＯ１５７やＶＴ、Ｈｂを含む被検試料であっても、簡便に同時分析することができ、それぞれ別々に分析する場合と同程度の精度で検出することができるものである。また、判定は発色によって行うことができるので、目視確認により定性的または半定性的な分析ができると共に、光学機器を利用することによって定量的分析も可能となる。
【図面の簡単な説明】
【図１】実施例１にて作製した、本発明の免疫学的検査片の一実施態様を模式的に示す平面図である。
【図２】図１に示す免疫学的検査片のＸ−Ｘ’断面図である。
【符号の説明】
１    吸水性基材
２    固定相
３    ポリエステル不織布
４    ポリエステルフィルム
【図１】
0003609240.tif 000008
【図２】
0003609240.tif 000009